(57)【特許請求の範囲】
【請求項１】
画面に表示されている患者の電子カルテを入力する入力者が電子カルテに再度患者が来院することを意味する文字列が書き込まれたかどうかを判定する判定手段と、
前記文字列が書き込まれた場合、前記文字列が示す通知のタイミングと、前記電子カルテに書き込まれた通知内容と、表示されている電子カルテに係る患者名とを関連づける関連づけ手段と、
関連づけられた各項目をテーブルとしてデータベースに記憶する記憶手段とを備え、
後日、前記テーブルに登録された患者の電子カルテを表示するにあたり、当該患者に関連づけられたタイミングが電子カルテを表示した当日または当日よりも過去の日を意味している場合、当該タイミングに関連づけられた前記通知内容を通知することを特徴とする電子カルテ表示装置。
【請求項２】
請求項１に記載の電子カルテ表示装置において、
前記文字列は、次回を意味する文字列であり、前記記憶手段に記憶される通知のタイミングは、次回起動時であることを特徴とする電子カルテ表示装置。
【請求項３】
請求項１に記載の電子カルテ表示装置において、
前記文字列は、日付を意味する文字列であることを特徴とする電子カルテ表示装置。
【請求項４】
請求項１に記載の電子カルテ表示装置において、
前記文字列は、時間的間隔を意味する文字列であることを特徴とする電子カルテ表示装置。
【請求項５】
請求項１ないし請求項４のいずれかに記載の電子カルテ表示装置において、
前記関連づけ手段が電子カルテ上において再度患者が来院すること意味する文字列に隣接している文字列を通知内容として認識することを特徴とする電子カルテ表示装置。
【発明の詳細な説明】
【技術分野】
【０００１】
本発明は、医療機関で用いられる情報処理装置および電子カルテ表示装置に関する。
【背景技術】
【０００２】
医療機関には、様々な撮影装置や分析装置が用いられている。このような装置を用いて得られたデータがディジタルデータである場合、これをデータベース化して、医療機関で共有の財産として利用するシステムが開発されてきている。こうしたコンピュータ同士を接続してネットワークを形成することができる（例えば実施例１参照）。
【０００３】
このようなデータベースを利用すれば、カルテの電子化も可能となる。電子カルテをデータベースで管理することにより、１人の患者に関する電子カルテがデータベース閲覧アプリケーションにより一覧性を有する表示で閲覧できるようになる。図１７は、コンピュータ上で実行されるデータベース閲覧アプリケーションに係るウィンドウがモニタに表示されている様子を示している。このモニタ上のウィンドウのレイアウトは、ある１人の患者をデータベースから読み出したときに表示されるものである。
【０００４】
図１７に示すレイアウトについて具体的に説明する。モニタに表示されるウィンドウのうちの上部は、患者の個人情報等を表示する区画である個人情報表示区画になっている。そして、ウィンドウの下部は、電子カルテを表示する区画である電子カルテ表示区画になっている。電子カルテ表示区画のうち左側は、過去の電子カルテを表示する領域（参照領域Ｃ）であり、右側は現在の電子カルテを表示する領域（本領域Ｔ）となっている。医師は、本領域Ｔに本日の診察についての記入をすることになる。一方、同じ患者の過去の診察の際に医師が記入した過去の電子カルテは、参照領域Ｃに表示されている。
【０００５】
患者の診察が過去に何度もある場合、過去の電子カルテが複数存在することになる。このような場合における参照領域Ｃには、前回患者を診察したときに記入された電子カルテが表示されることになる。それよりも過去の電子カルテを閲覧したい場合は、医師は、マウスを通じて参照領域Ｃの上部に設けられた送りボタンをクリックする。すると、参照領域Ｃに表示されていた前回の診察に係る電子カルテの代わりに前々回の診察に係る電子カルテが表示される。医師が画面上の送りボタンをクリックする度に参照画像Ｃに表示される電子カルテはより過去ものに変更されていく。医師は、この動作を繰り返すことにより、過去に記入した電子カルテの全てを閲覧することができる。
【先行技術文献】
【特許文献】
【０００６】
【特許文献１】特開２０１３−２５０９０３号公報
【発明の概要】
【発明が解決しようとする課題】
【０００７】
しかしながら、従来構成の電子カルテ閲覧アプリケーションには次のような問題がある。
すなわち、従来構成では、患者が再受診する目的を瞬時に知ることができず使い勝手が悪い。
【０００８】
患者を診察すると、病状の経過を知る必要から再受診となることがよくある。この再受診の際、検査が必要な場合がある。従来構成では、患者が再受診した日に電子カルテ閲覧アプリケーションのウィンドウを見ても本日に検査が予定されていたことがわかりにくい。
【０００９】
この点の事情について説明する。例えば、２月１５日に医師が患者を受診したときに、一年後にＭＲＩ検査をする必要があるものと認めたものとする。医師は、本日の電子カルテに「１年後ＭＲＩ検査」と記載することになる。その後、患者は別の診察の必要性から４月２４日、７月２日、１０月２７日の３回に亘り来院したとすると、その度に電子カルテが作成されることになる。
【００１０】
そして、一年後の２月１５日に患者が来院したとする。医師は、電子カルテ閲覧アプリケーションを通じその患者に係るウィンドウを閲覧する。この時、参照領域Ｃに表示されているのは去年の１０月２７日に作成された電子カルテとなっている。参照領域Ｃには、前回の診察に係る電子カルテが表示される構成となっているからである。ＭＲＩ検査は、去年の１０月２７日に決定されたわけではないから、参照画像ＣにはＭＲＩ 検査に関する記載もない。
【００１１】
図１８は、この時の参照領域Ｃの表示を模式的に表している。参照領域Ｃには、去年の１０月２７日に係る電子カルテｃ１０，去年の７月２日に係る電子カルテｃ７，去年の４月２４日に係る電子カルテｃ４，去年の２月１５日に係る電子カルテｃ２がこの順に積層されたような状態になっている。本日２月１５日にＭＲＩ検査の必要性を記載しているのは、一番下の層になってしまっている電子カルテｃ２である。したがって、医師が本日の診察の目的を知るには、画面上の送りボタンを何度もクリックして去年の２月１５日に係る電子カルテｃ２を参照領域Ｃに表示させなければならない。
【００１２】
本発明は、この様な事情に鑑みてなされたものであって、その目的は、使い勝手が改善された電子カルテ閲覧を実現する情報処理装置を提供することにある。
【課題を解決するための手段】
【００１３】
本発明は上述の課題を解決するために次のような構成をとる。
すなわち、本発明に係る電子カルテ表示装置は、画面に表示されている患者の電子カルテを入力する入力者が電子カルテに再度患者が来院することを意味する文字列が書き込まれたかどうかを判定する判定手段と、文字列が書き込まれた場合、文字列が示す通知のタイミングと、電子カルテに書き込まれた通知内容と、表示されている電子カルテに係る患者名とを関連づける関連づけ手段と、関連づけられた各項目をテーブルとしてデータベースに記憶する記憶手段とを備え、後日、テーブルに登録された患者の電子カルテを表示するにあたり、当該患者に関連づけられたタイミングが電子カルテを表示した当日または当日よりも過去の日を意味している場合、当該タイミングに関連づけられた通知内容を通知することを特徴とするものである。
【００１４】
［作用・効果］本発明によれば、使い勝手が改善された電子カルテ閲覧を実現することができる。すなわち、本発明に係る電子カルテ表示装置は、患者名、通知のタイミング、および通知内容が関連したテーブルを参照することにより当該患者に関連づけられた通知のタイミングが当該患者の電子カルテを表示する当日または当日よりも過去の日を意味している場合に当該タイミングに関連づけられた通知内容を通知する構成となっている。これにより、過去の電子カルテに記載された通知内容を将来の電子カルテの表示する日に確実に通知することができる。
【００１５】
また、上述の電子カルテ表示装置において、文字列は、次回を意味する文字列であり、記憶手段に記憶される通知のタイミングは、次回起動時であればより望ましい。
【００１６】
また、上述の電子カルテ表示装置において、文字列は、日付を意味する文字列であればより望ましい。
【００１７】
また、上述の電子カルテ表示装置において、文字列は、時間的間隔を意味する文字列であればより望ましい
【００１８】
［作用・効果］上述の構成は本発明をより具体的に示したものとなっている。文字列としては、「次回」と言う文字列や日付、時間的間隔を意味する文字列が例として考えられる。
【００１９】
また、上述の電子カルテ表示装置において、関連づけ手段が電子カルテ上において再度患者が来院すること意味する文字列に隣接している文字列を通知内容として認識すればより望ましい。
【００２０】
［作用・効果］上述の構成は本発明をより具体的に示したものとなっている。通知内容が再度患者が来院すること意味する文字列に隣接している文字列であれば、確実に必要な情報を通知することができる。
【００２１】
本発明によれば、使い勝手が改善された電子カルテ閲覧を実現することができる。すなわち、本発明は、再度患者が来院することを意味する文字列が電子カルテに書き込まれた場合、患者名と、通知のタイミングを示すデータと、通知内容文字列とを関連づけてテーブルに記憶するように構成されている。後日、当該電子カルテに係る患者が来院した際にこのテーブルを参照すれば、医師は通知内容文字列を通じて本日の来院の目的を素早く知ることができる。
【図面の簡単な説明】
【００２２】
【図１】実施例１に係る電子カルテ閲覧システムの全体像を説明する模式図である。
【図２】実施例１に係る電子カルテ閲覧アプリケーションを説明する模式図である。
【図３】実施例１に係る電子カルテ閲覧アプリケーションを説明する模式図である。
【図４】実施例１において特徴的なモジュールを説明する模式図である。
【図５】実施例１に係るプラン領域判定部判定部１１の動作を説明する模式図である。
【図６】実施例１に係る項目作成部１２の動作を説明する模式図である。
【図７】実施例１に係る項目作成部１２の動作を説明する模式図である。
【図８】実施例１に係る項目作成部１２の動作を説明する模式図である。
【図９】実施例１に係る項目作成部１２の動作を説明する模式図である。
【図１０】実施例１に係るテーブルについて説明する模式図である。
【図１１】実施例１に係る電子カルテ閲覧アプリケーションの動作を説明するフローチャートである。
【図１２】実施例１に係る電子カルテ閲覧アプリケーションの動作を説明する模式図である。
【図１３】本発明の一変形例を説明する模式図である。
【図１４】本発明の一変形例を説明する模式図である。
【図１５】本発明の一変形例を説明する模式図である。
【図１６】本発明の一変形例を説明する模式図である。
【図１７】従来構成の電子カルテ閲覧アプリケーションを説明する模式図である。
【図１８】従来構成の問題点を説明する模式図である。
【発明を実施するための形態】
【００２３】
本発明に係る情報処理装置は、患者の電子カルテを参照して動作する情報処理装置であり、実体的には、電子カルテ閲覧アプリケーションを動作させる演算装置である。以降、本発明の電子カルテ閲覧アプリケーションに係るシステムである電子カルテ閲覧システムについて説明する。
【実施例１】
【００２４】
図１は、本発明に係る電子カルテの閲覧を実現する電子カルテ閲覧システムの構成を示している。図１に示すように、電子カルテ閲覧システムは、電子カルテ閲覧アプリケーションがインストールされたコンピュータ１，電子カルテ閲覧アプリケーションの依頼を受けて必要な情報をコンピュータ１に送出するサーバ２およびサーバ２内部に設けられたストレージ３を備えている。ストレージ３には、患者ごとに電子カルテが整理された状態で保存されている。なお、図１においては、コンピュータ１は１つしか描かれていないが、実際には複数のコンピュータがサーバ２に接続されている。
【００２５】
図２は、コンピュータ１のモニタに表示される電子カルテ閲覧アプリケーションに係るウィンドウを示している。図２に係るウィンドウは、ある患者Ａについての情報が表示されるものとなっている。このようなウィンドウが開かれるのは、医師がこの患者Ａについて診断を行っている最中である。
【００２６】
以降、図２に係るウィンドウの表示内容について説明する。ウィンドウの上側には、患者名や生年月日など患者の個人的な情報を表示する領域が設けられている。図２においては、患者Ａという特定の患者についての電子カルテが開かれている様子を示している。当該アプリケーションにおいて電子カルテは、ウィンドウの下側に表示される構成である。図２においては、２つの電子カルテが表示されている。左側の電子カルテは、過去日（１０月２１日）の電子カルテであり、右側の電子カルテは本日（１１月１５日）の電子カルテである。電子カルテは、診断日ごとに作成されるので、何度か診断したことがある患者については複数の電子カルテが作成されることになる。なお、どちらの電子カルテもウィンドウ上側に示された患者Ａについてのものである。過去日に係る電子カルテが表示される領域を参照領域Ｃと呼び、本日に係る電子カルテが表示される領域を本領域Ｔと呼ぶことにする。
【００２７】
参照領域Ｃの上部には、現在参照領域に表示されている電子カルテの作成日を示す日付「１０／２１」が表示されている。この参照領域Ｃに表示されている電子カルテは、過去に作成されたもののうち、最近に作成されたものとなっている。また、参照領域Ｃの上部には、右矢印および左矢印が記された送りボタンが設けられている。医師がこの送りボタンをマウスでクリックすると、１０／２１よりも古い電子カルテを時系列順に参照領域Ｃに表示させていき最古の電子カルテを表示させることができるし、この状態から新しい電子カルテを時系列順に参照領域Ｃに表示させていき再び最新の１０／２１に係る電子カルテを表示させることもできる。送りボタンがクリックされる毎に参照領域Ｃの上部に表示されている日付も変化していく。本領域Ｔの上側には本日を示す日付「１１／１５」が表示されている。
【００２８】
電子カルテの内容について簡単に説明する。電子カルテには、図３に示すように「Ｓ」「Ｏ」「Ａ」「Ｐ」で示された４つの領域が設けられている。Ｓ欄は、患者の不調の訴えである主訴が記入される領域である。Ｏ欄は、触診などで得られた医師の所見が記入される領域である。検査結果もこの領域に記入される。Ａ欄は、診察の結果、医師がする判断を記入する領域である。医師が疑う病名などが記入される。Ｐ欄は、今後どのようにしていくのか等計画を記入する領域である。例えば、感冒の場合、Ｓ欄には、発熱といった患者自身が説明する症状が記入され、Ｏ欄には、体温計で測定した患者の体温が記入される。そしてＡ欄には、感冒の疑いありと記入され、Ｐ欄には、経過を見る等と記入される。
【００２９】
＜本発明の最も特徴的な構成＞
図４は、本発明の電子カルテ閲覧アプリケーションが有する最も特徴的な構成を示している。この特徴的な動作を実現するのは、当該アプリケーションに組み込まれているモジュールである。すなわち、本発明に係るアプリケーションには、プラン領域判定部プラン領域判定部１１，項目作成部１２，テーブル保存部１３の各部を実現するモジュールが組み込まれている。これら各部は協働することにより本日から所定の日後に何をすべきかを医師に通知する構成となっている。以降、各部の動作について説明する。プラン領域判定部１１は本発明の判定手段に相当し、項目作成部１２は本発明の関連づけ手段に相当する。テーブル保存部１３は、本発明の記憶手段に相当する。
【００３０】
プラン領域判定部１１は、電子カルテ閲覧アプリケーションが図２で説明した患者Ａについてウィンドウを開いているときに、本領域Ｔ上の電子カルテにおけるＰ欄を確認する。プラン領域判定部１１は、特定の文字列がＰ欄に入力されたかどうか判定する。その特定の文字とは、表示中の電子カルテに係る患者が再来院することを示す文字列を意味する再来院表示文字列である。再来院表示文字列として考えられるのは、次回を意味する文字列、日付を意味する文字列、時間的間隔を意味する文字列等である。具体的には、例えば、「次回」という文字列、「３月９日」「３／９」「２０１６／３／９」「平成２８年３月９日」「9 March」など日付を示す文字列、および「日後」「週後」「月後」「年後」「日毎」「毎週」「毎月」「毎年」等時間的間隔を表す文字列である。なお、本発明に係る再来院とは、医療機関全般において患者が再び当該機関に訪れることをいう。来院とはいっても医療機関の体制は問わない。プラン領域判定部１１は、コンピュータ１の画面に表示されている患者Ａの電子カルテを入力する医師（入力者）が電子カルテに当該患者が再来院することを示す文字列である再来院表示文字列が書き込まれたかどうか判定する。再来院表示文字列は、本発明の再度患者が来院することを意味する文字列に相当する。
【００３１】
図５は、Ｐ欄に医師が「次回血液検査」と記入したときの様子を示している。プラン領域判定部１１は、Ｐ欄に再来院表示文字列が入力されたことを認識し、Ｐ欄に記入された文字列「次回血液検査」を項目作成部１２に送出する。項目作成部１２は、再来院表示文字列が電子カルテに書き込まれた場合、電子カルテに書き込まれた文字列が示す通知のタイミングと、電子カルテに書き込まれた通知内容と、表示されている電子カルテに係る患者名とを関連づける。このとき、項目作成部１２は、電子カルテ上において再来院表示文字列「次回」に隣接している文字列「血液検査」を通知内容として認識する。
【００３２】
項目作成部１２は、再来院表示文字列のタイプによって異なる動作をする。以降、各タイプ別に項目作成部１２がどのように動作するかについて説明する。
【００３３】
＜再来院表示文字列が次回を意味する文字列の場合＞
再来院表示文字列が次回を意味する文字列「次回」の場合、項目作成部１２は、図６に示すようにＰ欄に記載された文字列を再来院表示文字列に当たる「次回」とその後の「血液検査」の２つに分解する。このうち再来院表示文字列は、通知をすべきタイミング（当該患者の電子カルテを次回起動する時点である次回起動時）を表している。一方、残りの「血液検査」という文字列は、再来院の目的であり通知すべき内容を表した通知内容文字列である。
【００３４】
項目作成部１２は、ウィンドウに表示中の患者を識別するデータを電子カルテ閲覧アプリケーションから受信するとともに、再来院表示文字列に基づいて通知のタイミングを示すデータである通知日データを生成する。再来院表示文字列「次回」に対応する通知日データは、次回起動時を示すデータとなる。そして、項目作成部１２は、患者の識別記号と通知日データと通知内容文字列を関連させたデータセットを作成する。ウィンドウに開かれている電子カルテに係る患者は患者Ａであるから、患者の識別記号は患者Ａとなる。通知内容文字列は、将来ポップアップ表示される内容（通知内容）となる。
【００３５】
＜再来院表示文字列が時間的間隔を意味する文字列の場合＞
図７は、再来院表示文字列が時間的間隔を意味する文字列の場合を示している。Ｐ欄に医師が「一年後血液検査」と記入すると、項目作成部１２は、図７に示すようにＰ欄に記載された文字列を再来院表示文字列に当たる「一年後」とその後の「血液検査」の２つに分解する。このうち再来院表示文字列「一年後」に対応する通知日データは、本日から一年後の日付を示すデータとなる。図７の場合の通知内容文字列も「血液検査」である。そして、項目作成部１２は、患者の識別記号と通知日データと通知内容文字列を関連させたデータセットを作成する。
【００３６】
図８は、Ｐ欄に医師が「毎月血液検査」と記入したときの項目作成部１２の動作を示している。項目作成部１２は、図８に示すようにＰ欄に記載された文字列を再来院表示文字列に当たる「毎月」とその後の「血液検査」の２つに分解する。このうち再来院表示文字列「毎月」に対応する通知日データは、本日から一ヶ月後、二ヶ月後、三ヶ月後…を示すデータで複数ある。図８の場合の通知内容文字列も「血液検査」である。そして、項目作成部１２は、患者の識別記号と通知日データと通知内容文字列を関連させたデータセットを作成する。この場合、通知日データは複数あるので、データセットも複数生成されることになる。データセットを何個生成するかはアプリケーションの設定の変更により調整することができる。
【００３７】
＜再来院表示文字列が日付を意味する文字列の場合＞
図９は、再来院表示文字列が日付を意味する文字列の場合を示している。Ｐ欄に医師が「１２月６日血液検査」と記入すると、項目作成部１２は、図９に示すようにＰ欄に記載された文字列を再来院表示文字列に当たる「１２月６日」とその後の「血液検査」の２つに分解する。再来院表示文字列「１２月６日」に対応する通知日データは、１２月６日当日の日付を示すデータとなる。図９の場合の通知内容文字列も「血液検査」である。そして、項目作成部１２は、患者の識別記号と通知日データと通知内容文字列を関連させたデータセットを作成する。
【００３８】
項目作成部１２は、作成したデータセットをサーバ２に送出する。サーバ２のストレージ３には、図１０に示すような患者の識別記号と通知日データと通知内容文字列とが関連したテーブルが記憶されている。このテーブルは、項目作成部１２がこれまでにサーバ２に送出したデータセットが登録されている。図６で説明したデータセットをサーバ２が受信したとすると、サーバ２は、テーブルに当該データセットを図１０のように新規に登録する。この様子は、図１０の網掛けで示されている。ストレージ３は、関連づけられた各項目をテーブルとしてデータベースに記憶する。
【００３９】
患者Ａの診断を終了すると、医師は、本領域Ｔに表示されている本日の電子カルテを書き上げて保存の指示をアプリケーションに与える。プラン領域判定部１１，項目作成部１２，テーブル保存部１３の各部は、保存の指示があってから動作するようにしてよい。アプリケーションは、本日の電子カルテをサーバ２に送出し、サーバ２はストレージ３に保存される。また、アプリケーションは将来の通知に係るデータセットをサーバ２に送出し、サーバ２はストレージ３に保存される。これで、本日の患者Ａについての作業は終了となる。この患者Ａは、次回の予約をしてから帰宅することになる。
【００４０】
＜通知内容のポップアップ表示＞
後日１２月６日、テーブルに登録された通知内容が電子カルテ閲覧アプリケーションのウィンドウにポップアップ表示される様子について説明する。患者Ａには次回の予約日を伝えているので、患者Ａは、その予約日に当たる日である１２月６日に再来院することになる。医師は、患者Ａの再来院に合わせて患者Ａの電子カルテを閲覧しようとする。図１１は、コンピュータの入力を通じ、患者Ａの電子カルテを表示させる医師の指示を受けたアプリケーションが患者Ａのウィンドウを表示させるときの動作を示したフローチャートである。アプリケーションは、まずサーバ２に患者Ａについての電子カルテを呼び出して、最新のものを参照領域Ｃに表示する。なお、本領域Ｔは、これから医師が記入する領域であるから何も記載されていない。
【００４１】
そして、アプリケーションは、ストレージ３上のテーブルを読み出して、患者Ａについてのデータセットを読み出す。患者Ａの登録がある場合、今度は、この患者Ａについてのデータセットのうち、通知日が本日となっているものがあるかを検索する。該当する登録があった場合、通知データのうち通知内容文字列（例えば「血液検査」）を読み取る。そして、図１２に示すように通知内容である「血液検査」に「本日」という付加文字列を付加した「本日血液検査」をウィンドウにポップアップ表示する。該当する登録がなかった場合、そのまま処理を終了する。
【００４２】
このように電子カルテ閲覧アプリケーションは、ストレージ３に記憶されたテーブルを参照して、後日、テーブルに登録された患者の電子カルテを表示するにあたり、データが示すタイミングが電子カルテを表示した当日を意味している場合、当該データに関連づけられた通知内容を通知する。
【００４３】
以上のように、本発明によれば、使い勝手が改善された電子カルテ閲覧を実現することができる。すなわち、本発明は、再来院表示文字列が電子カルテに書き込まれた場合、患者名と、再来院表示文字列等と、通知内容文字列とを関連づけてテーブルに記憶するように構成されている。後日、当該電子カルテに係る患者が来院した際にこのテーブルを参照すれば、医師は通知内容文字列を通じて本日の来院の目的を素早く知ることができる。また、過去の電子カルテに記載された通知内容を将来の電子カルテの表示する日に確実に通知することができる。
【００４４】
本発明は、上述の構成に限られず下記のように変形実施が可能である。
【００４５】
（１）本発明においては、Ｐ欄に複数の予定が記入される点について言及はなかったが、図１３に示すように、プラン領域判定部１１は、Ｐ欄上の各行毎に文字列を項目作成部１２に送出してもよい。この場合、項目作成部１２は、この各行を独立的に処理して複数のデータセットを作成し、ストレージ３に記録される。
【００４６】
（２）上述の実施例においては、通知内容がポップアップ表示されていたが、本発明はこの構成に限られない。ウィンドウに通知内容を表示する欄を設け、そこに通知内容を表示するようにしてもよいし、音による通知等、他の方法で表示をするようにしてもよい。
【００４７】
（３）本発明においてアプリケーションが実行されるのはコンピュータでなくてもよい。タブレット端末など他の演算装置によって実行されてもよい。
【００４８】
（４）上述の実施例において、テーブルに記憶されている通知日データが示す日と電子カルテを開いた日とが一致している場合について通知を行う構成となっていたが、本発明はこの構成に限られない。通知日データが示す日と電子カルテを開いた日とが一致していなくても通知を行う構成としてもよい。この変形例の場合、例えば、図１４に示すようにテーブルにはフラグ欄が設けられている。フラグ欄には、通知をしたことがあるかどうかを示す欄となっている。図１４においては表中の通知内容は、いずれも未だ通知されたことがないので、フラグは全て０となっている。
【００４９】
図１４におけるテーブルでは患者Ａは、１２月６日に血液検査に来院することになっている。しかし、患者Ａの都合や当日の医療機関が休日である等などの理由により、患者Ａは、当日に来院できるとは限らない。図１５は、予定日から４日経過した１２月１０日に患者Ａが来院し、その時に医師が患者Ａの電子カルテを表示させたときの様子を示している。この時も電子カルテ閲覧アプリケーションは、図１１で説明したフローチャートに従い動作することになる。本変形例では、図１１上での「本日が通知日か？」の分岐のところが実施例１と異なっている。すなわち、図１５に示すように、通知日が当日１２月１０よりも前となっている患者Ａについての通知が登録されている場合でありかつ、一度も通知がされていない場合（フラグ値が０の場合）のみ通知内容をポップアップ表示する。アプリケーションは、この２つの条件を同時に満たさない場合はポップアップ表示しない。
【００５０】
ポップアップ表示の後、アプリケーションは、図１６に示すように、ポップアップ表示に係る通知内容を通知したことをテーブルに記録する。この記録は、通知した通知内容に対応するフラグを「０」から「１」に変更することでなされる。これで、今後患者Ａが来院してもこの通知内容は通知されない。
【００５１】
このように電子カルテ閲覧アプリケーションは、ストレージ３に記憶されたテーブルを参照して、ある患者の電子カルテを表示するにあたり再来院表示文字列が当該患者の電子カルテを表示する当日または当日よりも過去の日を意味している場合、来院目的を通知する。
【符号の説明】
【００５２】
１１   プラン領域判定部（判定手段）
１２   項目作成部（関連づけ手段）
１３   テーブル保存部（記憶手段）
【図１】
0006555178.tif 000002
【図２】
0006555178.tif 000003
【図３】
0006555178.tif 000004
【図４】
0006555178.tif 000005
【図５】
0006555178.tif 000006
【図６】
0006555178.tif 000007
【図７】
0006555178.tif 000008
【図８】
0006555178.tif 000009
【図９】
0006555178.tif 000010
【図１０】
0006555178.tif 000011
【図１１】
0006555178.tif 000012
【図１２】
0006555178.tif 000013
【図１３】
0006555178.tif 000014
【図１４】
0006555178.tif 000015
【図１５】
0006555178.tif 000016
【図１６】
0006555178.tif 000017
【図１７】
0006555178.tif 000018
【図１８】
0006555178.tif 000019